(57)【要約】【課題】有料道路ゲート周辺を携帯電話機のエリア外とすることなく、有料道路を下りる際に電池切れを招くことなく、携帯電話とＥＴＣとによる利便性を図ることが可能な携帯電話機を提供する。【解決手段】携帯電話機が車載ホルダに装着されると、電池充電端子６６には電圧が加わり、外部給電認識部６８では制御部５７に対して携帯電話機が車載ホルダに装着されたことを示す信号１２８を出力する。制御部５７は信号１２８を受取ると、携帯電話機の車載ホルダへの装着と認識し、ＥＴＣ電源制御部６４に対してＥＴＣ信号処理部５６とＥＴＣ無線部５５とに電源を供給させるための信号１２６を出力し、ＥＴＣ信号処理部５６とＥＴＣ無線部５５とに電源１２５を加えることで、ＥＴＣ機能を利用可能とする。【選択図】　　　図１
2004094836.tif 000002
【特許請求の範囲】
【請求項１】
基地局との間において無線にて少なくとも音声信号及びデータ信号の送受信を行う携帯電話無線回路と、ＥＴＣ（Ｅｌｅｃｔｒｏｎｉｃ　Ｔｏｌｌ　Ｃｏｌｌｅｃｔｉｏｎ）ゲートを通過する際に前記ＥＴＣゲートの送受信部との間において無線にて少なくとも有料道路料金情報の送受信を行うＥＴＣ無線回路と、自端末が外部給電機器に装着されたことを検出する検出手段と、前記検出手段で自端末が前記外部給電機器に装着されたことが検出された時に前記ＥＴＣ無線回路に電源を供給して使用可能とする制御手段とを有することを特徴とする携帯電話機。
【請求項２】
前記携帯電話無線回路と前記ＥＴＣ無線回路とを相互に独立させかつ互いの干渉を避けるように配設して前記携帯電話無線回路と前記ＥＴＣ無線回路とを同時に使用可能としたことを特徴とする請求項１記載の携帯電話機。
【請求項３】
自端末が前記外部給電機器に装着されていない時に前記ＥＴＣ無線回路への電源を遮断したことを特徴とする請求項１または請求項２記載の携帯電話機。
【請求項４】
前記音声信号及び前記データ信号の送受信を行うための情報を表示する表示手段と、前記音声信号及び前記データ信号の送受信を行うための信号を入力する操作手段とを含み、
自端末が前記外部給電機器に装着された時に前記ＥＴＣ無線回路にて扱う情報の表示及び操作を前記表示手段及び前記操作手段にて行うことを特徴とする請求項１から請求項３のいずれか記載の携帯電話機。
【請求項５】
ＥＴＣ（Ｅｌｅｃｔｒｏｎｉｃ　Ｔｏｌｌ　Ｃｏｌｌｅｃｔｉｏｎ）ゲートを通過する際に前記ＥＴＣゲートの送受信部と携帯電話機との間において無線にて少なくとも有料道路料金情報の送受信を行う有料道路料金支払システムであって、
前記携帯電話機に、基地局との間において無線にて少なくとも音声信号及びデータ信号の送受信を行う携帯電話無線回路と、前記ＥＴＣゲートの送受信部との間において無線にて少なくとも有料道路料金情報の送受信を行うＥＴＣ無線回路と、自端末が外部給電機器に装着されたことを検出する検出手段と、前記検出手段で自端末が前記外部給電機器に装着されたことが検出された時に前記ＥＴＣ無線回路に電源を供給して使用可能とする制御手段とを有し、
前記ＥＴＣゲートの送受信部で取得した情報を前記携帯電話機の使用料を徴収する携帯電話事業者のサーバ装置に通知することを特徴とする有料道路料金支払システム。
【請求項６】
前記ＥＴＣゲートの送受信部で取得した情報をインタネットを介して前記サーバ装置に通知することを特徴とする請求項５記載の有料道路料金支払システム。
【請求項７】
前記携帯電話機において、前記携帯電話無線回路と前記ＥＴＣ無線回路とを相互に独立させかつ互いの干渉を避けるように配設して前記携帯電話無線回路と前記ＥＴＣ無線回路とを同時に使用可能としたことを特徴とする請求項５または請求項６記載の有料道路料金支払システム。
【請求項８】
前記携帯電話機において、自端末が前記外部給電機器に装着されていない時に前記ＥＴＣ無線回路への電源を遮断したことを特徴とする請求項５から請求項７のいずれか記載の有料道路料金支払システム。
【請求項９】
前記音声信号及び前記データ信号の送受信を行うための情報を表示する表示手段と、前記音声信号及び前記データ信号の送受信を行うための信号を入力する操作手段とを前記携帯電話機に含み、
前記携帯電話機において、自端末が前記外部給電機器に装着された時に前記ＥＴＣ無線回路にて扱う情報の表示及び操作を前記表示手段及び前記操作手段にて行うことを特徴とする請求項５から請求項８のいずれか記載の有料道路料金支払システム。
【請求項１０】
前記携帯電話機の利用料金に応じて前記有料道路料金を割引いて前記携帯電話機の利用者に通知することを特徴とする請求項５から請求項９のいずれか記載の有料道路料金支払システム。
【請求項１１】
ＥＴＣ（Ｅｌｅｃｔｒｏｎｉｃ　Ｔｏｌｌ　Ｃｏｌｌｅｃｔｉｏｎ）ゲートを通過する際に前記ＥＴＣゲートの送受信部と携帯電話機との間において無線にて少なくとも有料道路料金情報の送受信を行う有料道路料金支払システムの有料道路料金支払方法であって、
基地局との間において無線にて少なくとも音声信号及びデータ信号の送受信を行う携帯電話無線回路と、前記ＥＴＣゲートの送受信部との間において無線にて少なくとも有料道路料金情報の送受信を行うＥＴＣ無線回路とを搭載する前記携帯電話機が外部給電機器に装着されたことを検出するステップと、前記携帯電話機が前記外部給電機器に装着されたことが検出された時に前記ＥＴＣ無線回路に電源を供給して使用可能とするステップとを有し、
前記ＥＴＣゲートの送受信部で取得した情報を前記携帯電話機の使用料を徴収する携帯電話事業者のサーバ装置に通知することを特徴とする有料道路料金支払方法。
【請求項１２】
前記ＥＴＣゲートの送受信部で取得した情報をインタネットを介して前記サーバ装置に通知することを特徴とする請求項１１記載の有料道路料金支払方法。
【請求項１３】
前記携帯電話機において、前記携帯電話無線回路と前記ＥＴＣ無線回路とを相互に独立させかつ互いの干渉を避けるように配設して前記携帯電話無線回路と前記ＥＴＣ無線回路とを同時に使用可能としたことを特徴とする請求項１１または請求項１２記載の有料道路料金支払方法。
【請求項１４】
前記携帯電話機が前記外部給電機器に装着されていない時に前記ＥＴＣ無線回路への電源を遮断したことを特徴とする請求項１１から請求項１３のいずれか記載の有料道路料金支払方法。
【請求項１５】
前記音声信号及び前記データ信号の送受信を行うための情報を表示する表示手段と、前記音声信号及び前記データ信号の送受信を行うための信号を入力する操作手段とを前記携帯電話機に含み、
前記携帯電話機が前記外部給電機器に装着された時に前記ＥＴＣ無線回路にて扱う情報の表示及び操作を前記表示手段及び前記操作手段にて行うことを特徴とする請求項１１から請求項１４のいずれか記載の有料道路料金支払方法。
【請求項１６】
前記携帯電話機の利用料金に応じて前記有料道路料金を割引いて前記携帯電話機の利用者に通知することを特徴とする請求項１１から請求項１５のいずれか記載の有料道路料金支払方法。
【請求項１７】
ＥＴＣ（Ｅｌｅｃｔｒｏｎｉｃ　Ｔｏｌｌ　Ｃｏｌｌｅｃｔｉｏｎ）ゲートを通過する際に前記ＥＴＣゲートの送受信部と携帯電話機との間において無線にて少なくとも有料道路料金情報の送受信を行う有料道路料金支払システムの有料道路料金支払方法のプログラムであって、
前記携帯電話機のコンピュータに、
基地局との間において無線にて少なくとも音声信号及びデータ信号の送受信を行う携帯電話無線回路と、前記ＥＴＣゲートの送受信部との間において無線にて少なくとも有料道路料金情報の送受信を行うＥＴＣ無線回路とを搭載する前記携帯電話機が外部給電機器に装着されたことを検出する処理と、
前記携帯電話機が前記外部給電機器に装着されたことが検出された時に前記ＥＴＣ無線回路に電源を供給して使用可能とする処理とを実行させるためのプログラム。
【発明の詳細な説明】
【０００１】
【発明の属する技術分野】
本発明は携帯電話機、有料道路料金支払システム及び有料道路料金支払方法並びにそのプログラムに関し、特に有料道路の料金支払いを行うためのＥＴＣ（Ｅｌｅｃｔｒｏｎｉｃ　Ｔｏｌｌ　Ｃｏｌｌｅｃｔｉｏｎ：自動料金徴収システム）に関する。
【０００２】
【従来の技術】
近年、有料道路料金支払システムとして料金所にＥＴＣが急速に設置されつつある。しかしながら、ＥＴＣにおいては、利用手続きの煩わしさや端末自体の値段が高い等、ユーザにメリットが少なく、普及が滞っているというのが実情である。
【０００３】
ここで、ＥＴＣにおいては、有料道路の料金所のＥＴＣ車線にＥＴＣ専用のアンテナを配置し、利用者の車両にＥＴＣ専用の無線機を搭載することで、有料道路の料金所で、有料道路料金を支払うために車両を停止させることなく、有料道路料金の徴収を可能としている。
【０００４】
この場合、利用者は予め取得したＩＣ（集積回路）カードを上記のＥＴＣ専用の無線機に挿入しておき、利用者の車両がＥＴＣ車線においてＥＴＣ専用のアンテナ近傍を通過する際に、ＥＴＣ専用の無線機とＥＴＣ専用のアンテナとの間で有料道路料金等の情報を無線にて送受信し、有料道路事業者のコンピュータと上記のＩＣカードとにそれぞれ有料道路料金等の情報を記録している。
【０００５】
ＥＴＣにおける上記の問題、つまり利用手続きの煩わしさや端末自体の値段が高い等の問題を解決するために、ＥＴＣ専用の無線機の代わりに移動端末や携帯電話機を用い、その使用料の徴収システムを利用する方法が提案されている（例えば、特許文献１，２参照）。
【０００６】
【特許文献１】
特開２００１−５２２１９号公報
【特許文献２】
特開２００１−２４３５１３号公報
【０００７】
【発明が解決しようとする課題】
上述した従来の有料道路料金支払システムでは、特許文献１，２に記載の移動端末や携帯電話機を用いる方法の場合、有料道路ゲートと携帯電話機との間で無線通信を行う無線部及びアンテナを、携帯電話基地局との無線通信で使用する機器と共有し、電池寿命を延ばすために、携帯電話基地局との間で同期を取るために無線部が間欠動作を行っている。
【０００８】
また、携帯電話機の信号方式や周波数帯は事業者によって異なることから、携帯電話機を使ってＥＴＣを利用する際に、（１）携帯電話基地局との同期を絶つために、有料道路ゲート周辺が携帯電話機のエリア外でなければならず、（２）有料道路ゲートと携帯電話機との無線通信のために有料道路ゲートを通過する間、携帯電話機の無線部が動作している必要があり、（３）有料道路ゲートを通過する間に携帯電話機の無線信号周波数を特定し、その携帯電話機の事業者（信号方式）を識別しなければならない。
【０００９】
（１）については、携帯電話機のエリア外に有料道路ゲートを建設する等しない限り、現実的には実現不可能である。また、（２）については、有料道路ゲートの入場時にユーザがマニュアル操作で携帯電話機の無線部を常時動作させるとしても、有料道路ゲート出口まで電池が持つという保障はない。つまり、電池残量が少ない状態で有料道路の入場ゲートを通過して、退場前に電池が切れた場合、ユーザの車両が出口ゲートを通過することができなくなる恐れがある。一方、入場後にユーザがマニュアル操作で、携帯電話機の無線部を通常の間欠動作に戻すのでは利便性に事欠くことになる。
【００１０】
（３）については、１つの事業者の無線信号周波数だけでも数百チャンネルあり、有料道路ゲートを通過する間に携帯電話機の無線信号を認識させるのは困難である。上記の問題点のほかにも、ＥＴＣを利用している際には、携帯電話機の通話機能を使用することができない等の問題点もある。
【００１１】
そこで、本発明の目的は上記の問題点を解消し、有料道路ゲート周辺を携帯電話機のエリア外とすることなく、有料道路を下りる際に電池切れを招くことなく、携帯電話とＥＴＣとによる利便性を図ることができる携帯電話機、有料道路料金支払システム及び有料道路料金支払方法並びにそのプログラムを提供することにある。
【００１２】
また、本発明の他の目的は、ＥＴＣを利用している際にも通話機能を使用することができる携帯電話機、有料道路料金支払システム及び有料道路料金支払方法並びにそのプログラムを提供することにある。
【００１３】
【課題を解決するための手段】
本発明による携帯電話機は、基地局との間において無線にて少なくとも音声信号及びデータ信号の送受信を行う携帯電話無線回路と、ＥＴＣ（Ｅｌｅｃｔｒｏｎｉｃ　Ｔｏｌｌ　Ｃｏｌｌｅｃｔｉｏｎ）ゲートを通過する際に前記ＥＴＣゲートの送受信部との間において無線にて少なくとも有料道路料金情報の送受信を行うＥＴＣ無線回路と、自端末が外部給電機器に装着されたことを検出する検出手段と、前記検出手段で自端末が前記外部給電機器に装着されたことが検出された時に前記ＥＴＣ無線回路に電源を供給して使用可能とする制御手段とを備えている。
【００１４】
本発明による他の携帯電話機は、上記の構成において、前記携帯電話無線回路と前記ＥＴＣ無線回路とを相互に独立させかつ互いの干渉を避けるように配設して前記携帯電話無線回路と前記ＥＴＣ無線回路とを同時に使用可能としている。
【００１５】
本発明による有料道路料金支払システムは、ＥＴＣ（Ｅｌｅｃｔｒｏｎｉｃ　Ｔｏｌｌ　Ｃｏｌｌｅｃｔｉｏｎ）ゲートを通過する際に前記ＥＴＣゲートの送受信部と携帯電話機との間において無線にて少なくとも有料道路料金情報の送受信を行う有料道路料金支払システムであって、
前記携帯電話機に、基地局との間において無線にて少なくとも音声信号及びデータ信号の送受信を行う携帯電話無線回路と、前記ＥＴＣゲートの送受信部との間において無線にて少なくとも有料道路料金情報の送受信を行うＥＴＣ無線回路と、自端末が外部給電機器に装着されたことを検出する検出手段と、前記検出手段で自端末が前記外部給電機器に装着されたことが検出された時に前記ＥＴＣ無線回路に電源を供給して使用可能とする制御手段とを備え、
前記ＥＴＣゲートの送受信部で取得した情報を前記携帯電話機の使用料を徴収する携帯電話事業者のサーバ装置に通知している。
【００１６】
本発明による他の有料道路料金支払システムは、前記携帯電話機において、前記携帯電話無線回路と前記ＥＴＣ無線回路とを相互に独立させかつ互いの干渉を避けるように配設して前記携帯電話無線回路と前記ＥＴＣ無線回路とを同時に使用可能としている。
【００１７】
本発明による有料道路料金支払方法は、ＥＴＣ（Ｅｌｅｃｔｒｏｎｉｃ　Ｔｏｌｌ　Ｃｏｌｌｅｃｔｉｏｎ）ゲートを通過する際に前記ＥＴＣゲートの送受信部と携帯電話機との間において無線にて少なくとも有料道路料金情報の送受信を行う有料道路料金支払システムの有料道路料金支払方法であって、
基地局との間において無線にて少なくとも音声信号及びデータ信号の送受信を行う携帯電話無線回路と、前記ＥＴＣゲートの送受信部との間において無線にて少なくとも有料道路料金情報の送受信を行うＥＴＣ無線回路とを搭載する前記携帯電話機が外部給電機器に装着されたことを検出するステップと、前記携帯電話機が前記外部給電機器に装着されたことが検出された時に前記ＥＴＣ無線回路に電源を供給して使用可能とするステップとを備え、
前記ＥＴＣゲートの送受信部で取得した情報を前記携帯電話機の使用料を徴収する携帯電話事業者のサーバ装置に通知している。
【００１８】
本発明による他の有料道路料金支払方法は、前記携帯電話機において、前記携帯電話無線回路と前記ＥＴＣ無線回路とを相互に独立させかつ互いの干渉を避けるように配設して前記携帯電話無線回路と前記ＥＴＣ無線回路とを同時に使用可能としている。
【００１９】
本発明による有料道路料金支払方法のプログラムは、ＥＴＣ（Ｅｌｅｃｔｒｏｎｉｃ　Ｔｏｌｌ　Ｃｏｌｌｅｃｔｉｏｎ）ゲートを通過する際に前記ＥＴＣゲートの送受信部と携帯電話機との間において無線にて少なくとも有料道路料金情報の送受信を行う有料道路料金支払システムの有料道路料金支払方法のプログラムであって、
前記携帯電話機のコンピュータに、
基地局との間において無線にて少なくとも音声信号及びデータ信号の送受信を行う携帯電話無線回路と、前記ＥＴＣゲートの送受信部との間において無線にて少なくとも有料道路料金情報の送受信を行うＥＴＣ無線回路とを搭載する前記携帯電話機が外部給電機器に装着されたことを検出する処理と、
前記携帯電話機が前記外部給電機器に装着されたことが検出された時に前記ＥＴＣ無線回路に電源を供給して使用可能とする処理とを実行させている。
【００２０】
すなわち、本発明の携帯電話機は、基地局との間において無線にて少なくとも音声信号及びデータ信号の送受信を行う携帯電話無線回路と、ＥＴＣ（Ｅｌｅｃｔｒｏｎｉｃ　Ｔｏｌｌ　Ｃｏｌｌｅｃｔｉｏｎ：自動料金徴収システム）ゲートを通過する際にＥＴＣゲートの送受信部との間において無線にて少なくとも有料道路料金情報の送受信を行うＥＴＣ無線回路とを搭載し、自端末の外部給電機器への装着を認識した時にＥＴＣ無線回路を使用可能としている。
【００２１】
これによって、本発明の携帯電話機では、有料道路ゲート周辺を携帯電話機のエリア外とすることなく、有料道路を下りる際に電池切れを招くことなく、携帯電話とＥＴＣとによる利便性を図ることができる。
【００２２】
また、本発明の携帯電話機では、携帯電話無線回路とＥＴＣ無線回路とを相互に独立させ、互いの干渉を避けることによって、携帯電話無線回路とＥＴＣ無線回路とを同時に使用可能としている。
【００２３】
さらに、本発明の携帯電話機では、携帯電話無線回路とＥＴＣ無線回路とを相互に独立させ、携帯電話無線回路を使用している時にＥＴＣ無線回路の電源をＯＦＦとすることで、つまり自端末が外部給電機器に装着されていない時にＥＴＣ無線回路への電源を遮断することで、省電力化することも可能である。これによって、本発明では、携帯電話機を使ってＥＴＣを快適に利用することが可能となる。
【００２４】
一方、本発明では、携帯電話機とインタネットとを用い、ＥＴＣの利用にあたって、従来必要だったクレジットカード会社との契約手続き、高価なＥＴＣ端末の購入、及び盗難等で他人に悪用される危険性もあるＩＣカードが一切必要なくなる。
【００２５】
また、本発明では、利用料金支払いを携帯電話事業者が代行して徴収することによって、料金支払いの一本化、利用料金照会の簡易化、利用料金に応じて与えられる料金割引サービス等、ユーザの利便性を高め、ＥＴＣ普及促進に繋げることが可能となる。
【００２６】
【発明の実施の形態】
次に、本発明の実施例について図面を参照して説明する。図１は本発明の一実施例による有料道路料金支払システムの構成を示すブロック図である。図１において、本発明の一実施例による有料道路料金支払システムは車両１と、車両１との間でＥＴＣ（Ｅｌｅｃｔｒｏｎｉｃ　Ｔｏｌｌ　Ｃｏｌｌｅｃｔｉｏｎ：自動料金徴収システム）無線信号１００の送受信を行うＥＴＣゲートＡに設置されたＥＴＣゲート側送受信部２と、有料道路事業者Ｂの有料道路事業者サーバ３と、携帯電話事業者Ｃの携帯電話事業者サーバ４と、有料道路事業者サーバ３と携帯電話事業者サーバ４とを結ぶネットワークであるインタネット２００とからなり携帯電話事業者ＣからユーザＥに対して料金請求書Ｄが発行送付され、ユーザＥが金融機関Ｆに振込んだ料金が、金融機関Ｆから携帯電話事業者Ｃ及び有料道路事業者Ｂへと振込まれる。
【００２７】
図２は図１の車両１内における携帯電話機の配置例を示す図である。図２において、携帯電話機５とＥＴＣゲート側送受信部２との間でＥＴＣ無線信号１００を通信させるため、車両１内には前方のダッシュボード７上に携帯電話機５を固定させるための車載ホルダ６と、携帯電話機５への電源供給を車両バッテリ１０からシガーソケット９を通して供給するための電源ケーブル８とから構成されている。
【００２８】
図３は図２の携帯電話機５でＥＴＣ利用料金の照会を行う際のネットワークの構成例を示す図である。図３において、本発明の一実施例によるネットワークは携帯電話無線信号１０１を通じて携帯電話機５との通信を受け持つ携帯電話基地局１１と、携帯電話事業者Ｃの携帯電話事業者サーバ４と、それらを結ぶネットワークであるインタネット２００とから構成されている。
【００２９】
図４は図２の携帯電話機５の内部構成例を示すブロック図であり、図５は図２の携帯電話機５の外観図である。図５（ａ）は表側から見た時の携帯電話機５の外観を示し、図５（ｂ）は裏側から見た時の携帯電話機５の外観を示している。但し、図４及び図５において、本発明とは関係の無い携帯電話機の通話機能等の部分はその構成及び動作の説明を省略する。
【００３０】
図４及び図５において、携帯電話機５は携帯電話アンテナ５１と、携帯電話無線部５２と、携帯電話信号処理部５３と、ＥＴＣアンテナ（内蔵）５４と、ＥＴＣ無線部５５と、ＥＴＣ信号処理部５６と、制御部５７と、報知部５８と、音声合成処理部５９と、表示部６０と、表示制御部６１と、操作部６２と、ＲＯＭ（リードオンリメモリ）６３と、ＥＴＣ電源制御部６４と、電圧変換部６５と、電池充電端子６６と、電池６７と、外部給電認識部６８とから構成されている。
【００３１】
携帯電話無線部５２は携帯電話基地局１１との間で授受される携帯電話無線信号１０１を変復調する。携帯電話信号処理部５３は携帯電話無線部５２にて復調された信号１１１を受信制御信号と音声信号とに分離し、受信制御信号１１２の制御部５７への出力及び制御部５７からの送信信号１１２を処理する。
【００３２】
ＥＴＣ無線部５５はＥＴＣ無線信号１００を変復調する。ＥＴＣ信号処理部５６はＥＴＣ無線部５５で復調されたＥＴＣ無線信号１１３の制御部５７への処理出力及び制御部５７からのＥＴＣ送信信号１１４のＥＴＣ無線部５５への処理出力を行う。制御部５７は携帯電話機５全体の動作を制御する。
【００３３】
音声合成処理部５９は制御部５７からのＥＴＣアナウンス等の音声信号１１５を合成し、報知部５８（例えば、スピーカ等）は音声合成処理部５９からの音声信号１１６を音声として出力する。
【００３４】
表示制御部６１は制御部５７からの表示信号１１７を表示部６０で表示可能な信号１１８として表示部６０に出力し、表示部６０［例えば、ＬＣＤ（Ｌｉｑｕｉｄ　Ｃｒｙｓｔａｌ　Ｄｉｓｐｌａｙ）等］は表示制御部６１からの信号１１８を表示する。
【００３５】
操作部６２は携帯電話機５の操作を行うためにキーパネル等［図５（ａ）参照］で操作命令信号１１９を制御部５７に出力する。ＲＯＭ６３は携帯電話機５全体の制御プログラムデータ１２０（コンピュータで実行可能なプログラム）を格納し、この制御プログラムデータ１２０をを制御部５７に出力する。
【００３６】
電池６７は携帯電話機５の電源１２１を電圧変換機６５に送り、電池充電端子６６は電池６７を外部から給電して充電する。電圧変換部６５は電池６７の電源１２１をレギュレータ等で一定電圧１２２に変圧し、携帯電話機５の各部に供給する。
【００３７】
外部給電認識部６８は電池充電端子６６の電圧１２３をモニタして外部給電されているかを認識する。ＥＴＣ電源制御部６４は電池充電端子６６からの電源１２４をＥＴＣ信号処理部５６とＥＴＣ無線部５５とを動作させるのに必要な電圧１２５に変圧し、制御部５７からの制御信号１２６に応答してＥＴＣ機能動作時のみ、電源１２５をＥＴＣ信号処理部５６とＥＴＣ無線部５５とに供給する。
【００３８】
ここで、ＥＴＣ無線信号１００は携帯電話無線信号１０１とは方式及び周波数が異なるため、ＥＴＣアンテナ５４とＥＴＣ無線部５５とＥＴＣ信号処理部５６とからなるＥＴＣ無線回路は、携帯電話アンテナ５１と携帯電話無線部５２と携帯電話信号処理部５３とからなる携帯電話無線回路とは独立した構成となっている。
【００３９】
一方、携帯電話アンテナ５１とＥＴＣアンテナ５４とは、互いの干渉を可能な限り避け、ＥＴＣが使用中でも、携帯電話を使用することができるよう、図５に示すように、離れた位置に配置するのが好ましい。
【００４０】
図６は図２の車載ホルダ６の外観例を示す図である。図６において、車載ホルダ６は電源ケーブル８からの電源を車載ホルダ充電端子６ａを通して携帯電話機５の電池充電端子６６に供給する構成となっている。
【００４１】
図７及び図８は図２の車載ホルダ６への携帯電話機５の装着例を示す外観図である。図７及び図８において、携帯電話機５としては折り畳み方式を想定しており、図７は携帯電話機５を折り畳んだ状態、図８は携帯電話機５を開いた状態でそれぞれ車載ホルダ６に装着していることを示している。
【００４２】
上記のＥＴＣ無線回路は携帯電話機５の開閉状態に関わらず、使用することができるが、図８に示すように、携帯電話機５を開いた状態では表示部６０をＥＴＣモニタとして、操作部６２をＥＴＣ機能操作部としてそれぞれ使用することが可能である。
【００４３】
図９は本発明の一実施例による携帯電話機５を利用したＥＴＣ料金支払いシステムの動作を示すシーケンスチャートである。これら図１及び図９を参照して、携帯電話機５を利用したＥＴＣ料金支払いのルートについて説明する。
【００４４】
ＥＴＣゲート側送受信部２では車両１からのＥＴＣ無線信号１００を受信すると　（図９のａ１）、有料道路事業者サーバ３に対して通過料金所データや通行料金データが送られ（図９のａ２）、有料道路事業者サーバ３はそれらのデータを受取ると、インタネット２００を通して携帯電話事業者サーバ４に対して上記のデータを送信する（図９のａ３）。
【００４５】
携帯電話事業者Ｃは上記のａ３にて送られてきたデータに基づいて、ユーザＥに対して図１５に示すような料金請求書Ｄを発行送付し（図９のａ４）、ユーザＥは携帯電話事業者Ｃに対して金融機関Ｆを通して料金を振込む（図９のａ５）。携帯電話事業者Ｃに振込まれた料金はさらに金融機関Ｆを通して有料道路事業者Ｂに振込まれる（図９のａ６）。
【００４６】
図１０は図４及び図５の携帯電話機５の表示部６０に表示される携帯電話機能メニュー画面の一例を示す図であり、図１１は図１０の携帯電話機能メニューから「ＥＴＣ」を選択した時に表示部６０に表示されるＥＴＣメニュー画面の一例を示す図であり、図１２は図１１のＥＴＣメニューから「パスワード入力」を選択した時に表示部６０に表示されるＥＴＣパスワード入力画面の一例を示す図であり、図１３は図１２のＥＴＣパスワード入力画面で携帯電話機５に予め記憶されたパスワードを入力し、ＥＴＣ機能が使用可能になった際に表示部６０に表示される画面の一例を示す図である。
【００４７】
図１４は図１１のＥＴＣメニューから「利用料金照会」を選択した時に表示部６０に表示されるＥＴＣ利用料金照会画面の一例を示す図であり、図１５は図１の携帯電話事業者ＣからユーザＥに対して送付される料金請求書Ｄの一例を示す図であり、図１６は図４の制御部５７によるＥＴＣ電源投入処理を示すフローチャートであり、図１７は図４の制御部５７による利用料金照会処理を示すフローチャートである。これら図４〜図１７を参照して携帯電話機５の具体的なＥＴＣ機能の操作方法について説明する。尚、図１６及び図１７に示す処理は制御部５７がＲＯＭ６３の制御プログラムデータ１２０を実行することで実現される。
【００４８】
図１０〜図１３を参照すると、携帯電話機５の操作部６２から操作されると（図１６ステップＳ１）、制御部５７は図１０の携帯電話機能メニューの一覧を表示部６０上に表示する（図１６ステップＳ２）。図１０において、太字部分は図示せぬカーソルが選択している部分であり、操作部６２からの操作によって上下に移動する。
【００４９】
そこで、ＥＴＣメニュー画面を開く場合、図１０のメニュー画面のカーソルを「ＥＴＣ」に合わせ、操作部６２の操作によって実行が選択されると（図１６ステップＳ３）、制御部５７は図１１のＥＴＣメニュー画面を表示部６０上に表示する（図１６ステップＳ４）。
【００５０】
ＥＴＣ機能を使用可能な状態とするには、図１１のＥＴＣメニュー内のカーソルを「パスワード入力」に合わせ、操作部６２の操作によって実行が選択されると（図１６ステップＳ５）、制御部５７は図１２のＥＴＣパスワード入力画面を表示部６０上に表示する（図１６ステップＳ６）。このパスワード入力画面にしたがってパスワードが入力されると、ＥＴＣ利用者が契約者本人であることが認証される。
【００５１】
図１２のＥＴＣパスワード入力画面において、操作部６２の操作で携帯電話機５内に予め設定されているパスワードが入力されると、つまり入力されたパスワードと予め設定されたパスワードとが一致すると（図１６ステップＳ７）、制御部５７は、図１３に示すように、ユーザに対して携帯電話機５を車載ホルダ６に装着するように促す旨を表示部６０上に表示させる（図１６ステップＳ９）。但し、制御部５７はそれらのパスワードが不一致であれば（図１６ステップＳ７）、表示部６０にＥＴＣ使用不可を表示させる（図１６ステップＳ８）。
【００５２】
ここで、通常、携帯電話として本装置を使用している場合には、省電力化のためにも、ＥＴＣ信号処理部５６及びＥＴＣ無線部５６への電源をＯＦＦにしていることが望ましく、またＥＴＣ使用中に携帯電話機５の電池６７が切れてしまうことを防止するために、図１３に示す画面が表示された状態で、ユーザが携帯電話機５を車載ホルダ６に装着すると（図１６ステップＳ１０）、電池充電端子６６に電圧が加わり、外部給電認識部６８では制御部５７に対して携帯電話機５が車載ホルダ６に装着されたことを示す信号１２８を出力する。
【００５３】
制御部５７は信号１２８を受取ると、携帯電話機５の車載ホルダ６への装着と認識し、ＥＴＣ電源制御部６４に対してＥＴＣ信号処理部５６とＥＴＣ無線部５５とに電源を供給させるための信号１２６を出力し、ＥＴＣ信号処理部５６とＥＴＣ無線部５５とに電源１２５を加えることで、ＥＴＣ機能を利用可能とする（図１６ステップＳ１１）。
【００５４】
次に、ユーザが携帯電話機５を使用して、ＥＴＣ利用料金を照会する動作について説明する。携帯電話機５の操作部６２から操作されると（図１７ステップＳ２１）、制御部５７は図１０の携帯電話機能メニューの一覧を表示部６０上に表示する（図１７ステップＳ２２）。
【００５５】
そこで、ＥＴＣメニュー画面を開く場合、図１０のメニュー画面のカーソルを「ＥＴＣ」に合わせ、操作部６２の操作によって実行が選択されると（図１７ステップＳ２３）、制御部５７は図１１のＥＴＣメニュー画面を表示部６０上に表示する（図１７ステップＳ２４）。
【００５６】
図１１のＥＴＣメニュー画面において、操作部６２からの操作で「利用料金照会」にカーソルを合わせ、操作部６２の操作によって実行がなされると（図１７ステップＳ２５）、携帯電話機５は携帯電話基地局１１に携帯電話無線信号１０１を通じてアクセスする。携帯電話基地局１１ではインタネット２００を通じて携帯電話事業者サーバ４へＥＴＣ利用料金を照会する（図１７ステップＳ２６，Ｓ２７）。
【００５７】
携帯電話事業者サーバ４では照会のあったＥＴＣ利用料金データをインタネット２００を通じて携帯電話基地局１１に出力し、携帯電話基地局１１は携帯電話事業者サーバ４からのＥＴＣ利用料金データを、携帯電話無線信号１０１を通して携帯電話機５に送信する。携帯電話機５は携帯電話基地局１１からＥＴＣ利用料金データを受信すると（図１７ステップＳ２８）、図１４に示すように、現在のＥＴＣ利用料金を表示部６０上に表示させる（図１７ステップＳ２９）。
【００５８】
次に、本発明の他の実施例について説明する。本発明の他の実施例による有料道路料金支払システムは図１に示す本発明の一実施例による有料道路料金支払システムと同様の構成となっており、本発明の他の実施例による携帯電話機は図４及び図５に示す本発明の一実施例による携帯電話機と同様の構成となっている。但し、本発明の他の実施例では利用料金に応じて料金を割引くシステムとしており、それ以外は本発明の一実施例と同様である。
【００５９】
携帯電話事業者ＣからユーザＥに対して送付される料金請求書Ｄの一例を図１５に示す。この図１５を用いて本発明の他の実施例による有料道路料金支払システムにおいて利用料金に応じて料金を割引く方法について説明する。
【００６０】
図１５を参照すると、（ａ）は携帯電話の通話料、（ｂ）はＥＴＣ利用料金の合計、（ｃ）は（ａ）と（ｂ）との合計金額である。ここで、料金割引として、通話料（ａ）に一定割合を掛けた（ｄ）を（ｃ）から引いた金額（ｅ）をユーザへの請求料金としている。
【００６１】
また、ここでは通話料（ａ）の一定割合から料金割引（図１５では１０％）を設定しているが、ＥＴＣ利用料金の合計（ｂ）の一定割合から料金割引を設定することも可能である。
【００６２】
図１８は本発明の別の実施例による携帯電話機の制御部によるＥＴＣ機能を使用可能とするまでの処理を示すフローチャートである。本発明の別の実施例による有料道路料金支払システムは図１に示す本発明の一実施例による有料道路料金支払システムと同様の構成となっており、本発明の別の実施例による携帯電話機は図４及び図５に示す本発明の一実施例による携帯電話機と同様の構成となっている。
【００６３】
但し、本発明の一実施例ではＥＴＣ機能を使用可能とするまでにパスワード入力のステップを設け、パスワードのチェックを行うようにしているのに対し、本発明の別の実施例では利便性を考慮してこのパスワード入力のステップをなくしており、それ以外は本発明の一実施例と同様である。
【００６４】
この場合、元々携帯電話機５は自己の電話番号情報や製造番号情報を持っているので、それらの情報を利用して、ユーザの車両１がＥＴＣゲートＡを通過する際、ＥＴＣゲート側送受信部２でＥＴＣ無線信号１００を通して携帯電話機５から上記の情報を読取り、これによって契約者本人であることを認証することも可能である。
【００６５】
つまり、本発明の別の実施例では、車載ホルダ６に携帯電話機５を装着した時点で自動的にＥＴＣ機能を使用可能とし、また携帯電話機５を車載ホルダ６から取り外した時点で、省電力化のために自動的にＥＴＣ無線回路への電源をＯＦＦさせる構成となっている。これによって、本発明の別の実施例ではＥＴＣ機能を利用する際のユーザの操作を簡略化することができる。
【００６６】
上記の動作を行うために、携帯電話機５の制御部５７は図１８に示す処理を行うことで、ＥＴＣ機能を使用可能としている。尚、図１８に示す処理は制御部５７がＲＯＭ６３の制御プログラムデータ１２０を実行することで実現される。
ユーザが携帯電話機５を車載ホルダ６に装着すると（図１８ステップＳ３１）、電池充電端子６６に電圧が加わり、外部給電認識部６８では制御部５７に対して携帯電話機５が車載ホルダ６に装着されたことを示す信号１２８を出力する。
【００６７】
制御部５７は信号１２８を受取ると、携帯電話機５の車載ホルダ６への装着と認識し、ＥＴＣ電源制御部６４に対してＥＴＣ信号処理部５６とＥＴＣ無線部５５とに電源を供給させるための信号１２６を出力し、ＥＴＣ信号処理部５６とＥＴＣ無線部５５とに電源１２５を加えることで、ＥＴＣ機能を利用可能とする（図１８ステップＳ３２）。
【００６８】
一方、ユーザが携帯電話機５を車載ホルダ６から取り外すと（図１８ステップＳ３３）、電池充電端子６６に電圧が加わらなくなり、外部給電認識部６８では制御部５７に対して携帯電話機５が車載ホルダ６から取り外されたことを示す信号１２８を出力する。
【００６９】
制御部５７は信号１２８を受取ると、携帯電話機５の車載ホルダ６からの取り外しと認識し、ＥＴＣ電源制御部６４に対してＥＴＣ信号処理部５６とＥＴＣ無線部５５とへの電源を遮断させるための信号１２６を出力し、ＥＴＣ信号処理部５６とＥＴＣ無線部５５とに対する電源１２５が遮断されることで、ＥＴＣ機能を利用不可とする（図１８ステップＳ３４）。これによって、本発明の別の実施例では、ユーザが特にわずらわしい操作を行うことなく、快適にＥＴＣ機能を利用することができる。
【００７０】
このように、本発明では、携帯電話無線回路とＥＴＣ無線回路とを搭載し、携帯電話機５の外部給電機器（車載ホルダ６）への装着を認識した時にＥＴＣ無線回路に電源を供給して使用可能としているので、ＥＴＣゲートＡ周辺を携帯電話機５のエリア外とすることなく、有料道路を下りる際に携帯電話機５の電池切れを招くことなく、携帯電話無線回路とＥＴＣ無線回路とによる利便性を図ることができる。
【００７１】
また、本発明では、携帯電話無線回路とＥＴＣ無線回路とを相互に独立させ、互いの干渉を避けることによって、携帯電話無線回路とＥＴＣ無線回路とを同時に使用可能としている。
【００７２】
さらに、本発明では、携帯電話無線回路とＥＴＣ無線回路とを相互に独立させ、携帯電話無線回路を使用している時にＥＴＣ無線回路の電源をＯＦＦとすることで、省電力化することができ、携帯電話機５を使ってＥＴＣ機能を快適に利用することができる。
【００７３】
一方、本発明では、携帯電話機とインタネットとを用い、ＥＴＣの利用にあたって、従来必要だったクレジットカード会社との契約手続き、高価なＥＴＣ端末の購入、及び盗難等で他人に悪用される危険性もあるＩＣカードが一切必要なくなる。
【００７４】
また、本発明では、利用料金支払いを携帯電話事業者が代行して徴収することによって、料金支払いの一本化、利用料金照会の簡易化、利用料金に応じて与えられる料金割引サービス等、ユーザの利便性を高め、ＥＴＣ普及促進に繋げることが可能となる。
【００７５】
すなわち、本発明では、一般的に広く普及している携帯電話機５とそのネットワークとを利用することによって、高価なＥＴＣ端末の購入や煩わしいクレジットカード会社との契約手続き等が必要なくなり、ユーザが手軽にＥＴＣ機能を利用することができる。
【００７６】
従来、ＥＴＣ機能の利用にはＩＣカード（クレジットカード）が必要であり、ＩＣカードを抜き忘れて盗難に遭う危険性もあるが、本発明では、契約者本人であることの認証を携帯電話機５で行うことができるため、携帯電話機５を普段から持ち歩くことを考えれば、特にユーザが意識することなく、盗難の懸念から開放されることとなる。
【００７７】
これに加えて、本発明では、ＥＴＣ利用料金が携帯電話利用料金と一本化請求となるため、ＥＴＣ利用料金に応じて携帯電話通話料を割り引く、または逆に携帯電話通話料に応じてＥＴＣ利用料金を割り引くといったサービスが可能となり、その結果、ユーザのＥＴＣ利用意欲向上に繋がり、携帯電話事業者Ｃ及び有料道路事業者Ｂに多大な利益をもたらすことができる。これに対し、本発明では、従来困難であったＥＴＣ料金照会が携帯電話機５を用いて簡単に行うことができるので、ユーザの利便性が格段に上がる。
【００７８】
【発明の効果】
以上説明したように本発明の携帯電話機は、基地局との間において無線にて少なくとも音声信号及びデータ信号の送受信を行う携帯電話無線回路と、ＥＴＣゲートを通過する際にＥＴＣゲートの送受信部との間において無線にて少なくとも有料道路料金情報の送受信を行うＥＴＣ無線回路と、自端末が外部給電機器に装着されたことが検出された時にＥＴＣ無線回路に電源を供給して使用可能とすることによって、有料道路ゲート周辺を携帯電話機のエリア外とすることなく、有料道路を下りる際に電池切れを招くことなく、携帯電話とＥＴＣとによる利便性を図ることができるという効果が得られる。
【００７９】
また、本発明の他の携帯電話機は、上記の携帯電話無線回路とＥＴＣ無線回路とを相互に独立させかつ互いの干渉を避けるように配設して携帯電話無線回路とＥＴＣ無線回路とを同時に使用可能とすることによって、ＥＴＣを利用している際にも通話機能を使用することができるという効果が得られる。
【図面の簡単な説明】
【図１】本発明の一実施例による有料道路料金支払システムの構成を示すブロック図である。
【図２】図１の車両内における携帯電話機の配置例を示す図である。
【図３】図２の携帯電話機でＥＴＣ利用料金の照会を行う際のネットワークの構成例を示す図である。
【図４】図２の携帯電話機の内部構成例を示すブロック図である。
【図５】（ａ）は図２の携帯電話機の表側から見た時の外観を示す図、（ｂ）は図２の携帯電話機の裏側から見た時の外観を示す図である。
【図６】図２の車載ホルダの外観例を示す図である。
【図７】図２の車載ホルダへの携帯電話機の装着例を示す外観図である。
【図８】図２の車載ホルダへの携帯電話機の装着例を示す外観図である。
【図９】本発明の一実施例による携帯電話機を利用したＥＴＣ料金支払いシステムの動作を示すシーケンスチャートである。
【図１０】図４及び図５の携帯電話機の表示部に表示される携帯電話機能メニュー画面の一例を示す図である。
【図１１】図１０の携帯電話機能メニューから「ＥＴＣ」を選択した時に表示部に表示されるＥＴＣメニュー画面の一例を示す図である。
【図１２】図１１のＥＴＣメニューから「パスワード入力」を選択した時に表示部に表示されるＥＴＣパスワード入力画面の一例を示す図である。
【図１３】図１２のＥＴＣパスワード入力画面で携帯電話機に予め記憶されたパスワードを入力し、ＥＴＣ機能が使用可能になった際に表示部に表示される画面の一例を示す図である。
【図１４】図１１のＥＴＣメニューから「利用料金照会」を選択した時に表示部に表示されるＥＴＣ利用料金照会画面の一例を示す図である。
【図１５】図１の携帯電話事業者からユーザに対して送付される料金請求書の一例を示す図である。
【図１６】図４の制御部によるＥＴＣ電源投入処理を示すフローチャートである。
【図１７】図４の制御部による利用料金照会処理を示すフローチャートである。
【図１８】本発明の別の実施例による携帯電話機の制御部によるＥＴＣ機能を使用可能とするまでの処理を示すフローチャートである。
【符号の説明】
１　車両
２　ＥＴＣゲート側送受信部
３　有料道路事業者サーバ
４　携帯電話事業者サーバ
５　携帯電話機
６　車載ホルダ
６ａ　車載ホルダ充電端子
７　ダッシュボード
８　電源ケーブル
９　シガーソケット
１０　車両バッテリ
１１　携帯電話基地局
５１　携帯電話アンテナ
５２　携帯電話無線部
５３　携帯電話信号処理部
５４　ＥＴＣアンテナ（内蔵）
５５　ＥＴＣ無線部
５６　ＥＴＣ信号処理部
５７　制御部
５８　報知部
５９　音声合成処理部
６０　表示部
６１　表示制御部
６２　操作部
６３　ＲＯＭ
６４　ＥＴＣ電源制御部
６５　電圧変換部
６６　電池充電端子
６７　電池
６８　外部給電認識部
１００　ＥＴＣ無線信号
１０１　携帯電話無線信号
２００　インタネット
Ａ　ＥＴＣゲート
Ｂ　有料道路事業者
Ｃ　携帯電話事業者
Ｄ　料金請求書
Ｅ　ユーザ
Ｆ　金融機関
【図１】
2004094836.tif 000003
【図２】
2004094836.tif 000004
【図３】
2004094836.tif 000005
【図４】
2004094836.tif 000006
【図５】
2004094836.tif 000007
【図６】
2004094836.tif 000008
【図７】
2004094836.tif 000009
【図８】
2004094836.tif 000010
【図９】
2004094836.tif 000011
【図１０】
2004094836.tif 000012
【図１１】
2004094836.tif 000013
【図１２】
2004094836.tif 000014
【図１３】
2004094836.tif 000015
【図１４】
2004094836.tif 000016
【図１５】
2004094836.tif 000017
【図１６】
2004094836.tif 000018
【図１７】
2004094836.tif 000019
【図１８】
2004094836.tif 000020